(57)【要約】【課題】表示部がない場合であっても利用者本人が接続を希望する電子デバイスを確実に検出することができる無線通信方式および無線通信装置を提供すること。【解決手段】二輪車用オーディオ装置１００は、複数の電子デバイスを検出するデバイス検出部４１と、利用者の操作を受け付けるハンドルリモコン２２と、自装置の名称をデバイス検出部４１によって検出された電子デバイスの名称に置き換えて、複数の電子デバイスのそれぞれに向けて、自装置の名称を含む情報を送信する自装置情報送信部４２とを備えている。携帯端末装置２１０は、表示部に、自装置情報送信部４２から送られてきた自装置の名称を表示する。【選択図】図２
2014192774.tif 000002
【特許請求の範囲】
【請求項１】
表示部を有する特定電子デバイスを含む複数の電子デバイスと無線通信装置との間で無線方式で接続を行う無線接続方式において、
前記無線通信装置は、
前記複数の電子デバイスを検出するデバイス検出手段と、
利用者の操作を受け付ける操作手段と、
自装置の名称を前記デバイス検出手段によって検出された前記電子デバイスの名称に置き換えて、前記複数の電子デバイスのそれぞれに向けて、自装置の名称を含む情報を送信する自装置情報送信手段と、を備え、
前記特定電子デバイスは、前記表示部に、前記自装置情報送信手段から送られてきた前記自装置の名称を表示することを特徴とする無線通信方式。
【請求項２】
請求項１において、
前記自装置情報送信手段は、自装置の名称と、自装置の名称が置き換えられる前記電子デバイスの名称とを順番に、かつ、自装置の名称が前記電子デバイスの名称に置き換えられたことがわかる表示態様で情報を送信し、
前記特定電子デバイスは、前記表示部に、前記無線通信装置の名称と、前記無線通信装置の名称が置き換えられる前記電子デバイスの名称とを順番に、かつ、前記無線通信装置の名称が前記電子デバイスの名称に置き換えられたことがわかる表示態様で表示することを特徴とする無線通信方式。
【請求項３】
請求項２において、
前記自装置情報送信手段は、前記デバイス検出手段によって検出された前記複数の電子デバイスの名称を自装置の名称に順番に置き換えることを特徴とする無線通信方式。
【請求項４】
請求項３において、
前記自装置情報送信手段は、自装置の名称と、前記デバイス検出手段によって検出された前記複数の電子デバイスのそれぞれの名称とを、前記操作手段を用いた切替指示に応じて順番に切り替えて送信することを特徴とする無線通信方式。
【請求項５】
請求項３または４において、
前記自装置情報送信手段は、自装置の名称と、前記デバイス検出手段によって検出された前記複数の電子デバイスのそれぞれの名称とを、所定の時間間隔で順番に切り替えて送信することを特徴とする無線通信方式。
【請求項６】
請求項１〜５のいずれか一項において、
前記無線方式は、ブルートゥース方式であることを特徴とする無線通信方式。
【請求項７】
請求項６において、
前記無線通信装置は、
前記操作手段を用いてペアリング設定が指示された時点で前記自装置情報送信手段によって送信された情報に含まれる、名称が置き換えられた前記電子デバイスに対してペアリング設定を行うペアリング処理手段と、
前記ペアリング処理手段によってペアリング設定が成功した前記電子デバイスとの間で無線接続を行う無線接続手段と、
をさらに備えることを特徴とする無線通信方式。
【請求項８】
請求項６において、
前記特定電子デバイスは、ペアリング設定が成功してすでに無線接続が行われているとともに、利用者の操作に応じて前記無線通信装置に対してペアリング設定の指示を行うペアリング指示手段をさらに備え、
前記無線通信装置は、
前記ペアリング指示手段を用いてペアリング設定が指示された時点で前記自装置情報送信手段によって送信された情報に含まれる、名称が置き換えられた前記電子デバイスに対してペアリング設定を行うペアリング処理手段と、
前記ペアリング処理手段によってペアリング設定が成功した前記電子デバイスとの間で無線接続を行う無線接続手段と、
をさらに備えることを特徴とする無線通信方式。
【請求項９】
請求項７または８において、
ペアリング設定の対象として想定されている前記電子デバイスには、所定の識別情報があらかじめ対応付けられており、
前記ペアリング処理手段は、前記識別情報を用いてペアリング設定を行うことを特徴とする無線通信方式。
【請求項１０】
請求項９において、
ペアリング設定の対象として想定されている前記電子デバイスは、ヘッドセットであることを特徴とする無線通信方式。
【請求項１１】
請求項１〜１０のいずれか一項において、
前記無線通信装置は、二輪車に搭載されるとともに、ペアリング設定時に設定内容を確認するための表示部を有しないことを特徴とする無線通信方式。
【請求項１２】
表示部を有する特定電子デバイスを含む複数の電子デバイスとの間で無線方式で接続を行う無線通信装置であって、
前記複数の電子デバイスを検出するデバイス検出手段と、
利用者の操作を受け付ける操作手段と、
前記デバイス検出手段によって検出された前記電子デバイスの名称を自装置の名称に置き換えて、前記複数の電子デバイスのそれぞれに向けて、自装置の名称を含む情報を送信する自装置情報送信手段と、
を備え、前記特定電子デバイスの前記表示部に、前記自装置情報送信手段から送られてきた前記自装置の名称が表示されることを特徴とする無線通信装置。
【発明の詳細な説明】
【技術分野】
【０００１】
本発明は、二輪車等の車両に搭載されて無線方式によって電子デバイスが接続可能な無線通信方式および無線通信装置に関する。
【背景技術】
【０００２】
ブルートゥース（Bluetooth、登録商標）によって電子デバイス間を相互接続する場合には、最初にペアリング処理を行ってこれらの電子デバイス間を関連づける必要がある。このペアリング処理では、一方の電子デバイスにおいて通信可能な他方の電子デバイスを検出する必要があるが、検出時には通信範囲内に存在するその他の電子デバイスも検出されてしまう。このようにして多数の電子デバイスが検出されるとその中から利用者が接続を希望する電子デバイスを選択する操作が必要になる。このような選択操作を回避する従来技術として、ペアリング処理を行う際に出力電力を下げたり、問い合わせの応答信号を検出するための検出感度を減衰させることにより通信範囲を狭く設定して、一方の電子デバイスに対して近い距離に配置された他方の電子デバイスのみを検出したり、この通信範囲を徐々に広げることにより最も近傍の位置にある電子デバイスを検出するようにしたペアリング方法が知られている（例えば、特許文献１参照。）。
【先行技術文献】
【特許文献】
【０００３】
【特許文献１】特表２００７−５３６８５２号公報
【発明の概要】
【発明が解決しようとする課題】
【０００４】
ところで、上述した特許文献１に開示されたペアリング方法では、通信範囲を狭く設定して利用者本人が所持する他方の電子デバイスを検出しようとしているが、通信範囲を狭くしたからとしても近くに利用者本人以外に誰かいる場合にはその人が所持する電子デバイスを検出してしまうおそれがある。また、上述した特許文献１に開示されたペアリング方法では、通信範囲を徐々に広げて最も近傍の位置にある利用者本人の電子デバイスを検出しようとしているが、利用者本人以外の誰かが所持する電子デバイスを最初に検出してしまうことを確実に排除することはできない。
【０００５】
通常は、ペアリング時に検出された他方の電子デバイスについては表示部にこの電子デバイスの名称が表示されるため、その表示内容を見ることで利用者本人が意図した電子デバイスであることを確認することができるが、接続対象となる２つの電子デバイスの双方が表示部を有しない場合にはこのような確認を行うことができなかった。
【０００６】
本発明は、このような点に鑑みて創作されたものであり、その目的は、表示部がない場合であっても利用者本人が接続を希望する電子デバイスを確実に検出することができる無線通信方式および無線通信装置を提供することにある。
【課題を解決するための手段】
【０００７】
上述した課題を解決するために、本発明の無線通信方式は、表示部を有する特定電子デバイスを含む複数の電子デバイスと無線通信装置との間で無線方式で接続を行う無線接続方式において、無線通信装置は、複数の電子デバイスを検出するデバイス検出手段と、利用者の操作を受け付ける操作手段と、自装置の名称をデバイス検出手段によって検出された電子デバイスの名称に置き換えて、複数の電子デバイスのそれぞれに向けて、自装置の名称を含む情報を送信する自装置情報送信手段とを備える。特定電子デバイスは、表示部に、自装置情報送信手段から送られてきた自装置の名称を表示する。
【０００８】
また、本発明の無線通信装置は、表示部を有する特定電子デバイスを含む複数の電子デバイスとの間で無線方式で接続を行う無線通信装置であって、複数の電子デバイスを検出するデバイス検出手段と、利用者の操作を受け付ける操作手段と、デバイス検出手段によって検出された電子デバイスの名称を自装置の名称に置き換えて、複数の電子デバイスのそれぞれに向けて、自装置の名称を含む情報を送信する自装置情報送信手段とを備え、特定電子デバイスの表示部に、自装置情報送信手段から送られてきた自装置の名称が表示されている。
【０００９】
無線通信装置において検出された電子デバイスの名称を特定電子デバイスに送ってその表示部に表示させることができるため、無線通信装置に表示部がない場合であっても、利用者本人が接続を希望する電子デバイスを確実に検出することができる。
【００１０】
また、上述した自装置情報送信手段は、自装置の名称と、自装置の名称が置き換えられる電子デバイスの名称とを順番に、かつ、自装置の名称が電子デバイスの名称に置き換えられたことがわかる表示態様で情報を送信し、特定電子デバイスは、表示部に、無線通信装置の名称と、無線通信装置の名称が置き換えられる電子デバイスの名称とを順番に、かつ、無線通信装置の名称が電子デバイスの名称に置き換えられたことがわかる表示態様で表示することが望ましい。これにより、情報の送信元となる無線通信装置の名称とともに、この無線通信装置と接続可能な電子デバイスの名称を順番に表示させて確認することが可能となる。
【００１１】
また、上述した自装置情報送信手段は、デバイス検出手段によって検出された複数の電子デバイスの名称を自装置の名称に順番に置き換えることが望ましい。これにより、無線通信装置と接続可能な電子デバイスが複数検出された場合であっても、これら複数の電子デバイスの名称を順番に表示させて確認することが可能となる。
【００１２】
また、上述した自装置情報送信手段は、自装置の名称と、デバイス検出手段によって検出された複数の電子デバイスのそれぞれの名称とを、操作手段を用いた切替指示に応じて順番に切り替えて送信することが望ましい。特定電子デバイスの表示部に表示させる内容を利用者自身が切り替えることができるため、無線通信装置や各電子デバイスの名称を十分に確認することができる。
【００１３】
また、上述した自装置情報送信手段は、自装置の名称と、デバイス検出手段によって検出された複数の電子デバイスのそれぞれの名称とを、所定の時間間隔で順番に切り替えて送信することが望ましい。これにより、表示内容切替の手間を省くことができる。
【００１４】
また、上述した無線方式は、ブルートゥース方式であることが望ましい。これにより、ブルートゥース方式によって接続対象となる電子デバイスの名称を知ることができる。
【００１５】
また、上述した無線通信装置は、操作手段を用いてペアリング設定が指示された時点で自装置情報送信手段によって送信された情報に含まれる、名称が置き換えられた電子デバイスに対してペアリング設定を行うペアリング処理手段と、ペアリング処理手段によってペアリング設定が成功した電子デバイスとの間で無線接続を行う無線接続手段とをさらに備えることが望ましい。これにより、特定電子デバイスの表示部に表示させた名称で特定される電子デバイスと無線通信装置との間でペアリング設定を行うことができ、利用者本人が接続を希望する電子デバイスを確実に検出した上でペアリング設定を行うことが可能となる。
【００１６】
また、上述した特定電子デバイスは、ペアリング設定が成功してすでに無線接続が行われているとともに、利用者の操作に応じて無線通信装置に対してペアリング設定の指示を行うペアリング指示手段をさらに備え、無線通信装置は、ペアリング指示手段を用いてペアリング設定が指示された時点で自装置情報送信手段によって送信された情報に含まれる、名称が置き換えられた電子デバイスに対してペアリング設定を行うペアリング処理手段と、ペアリング処理手段によってペアリング設定が成功した電子デバイスとの間で無線接続を行う無線接続手段とをさらに備えることが望ましい。これにより、特定電子デバイスを操作することにより、特定電子デバイスの表示部に表示させた名称で特定される電子デバイスと無線通信装置との間でペアリング設定を行うことができ、利用者本人が接続を希望する電子デバイスを確実に検出した上でペアリング設定を行うことが可能となる。
【００１７】
また、ペアリング設定の対象として想定されている電子デバイスには、所定の識別情報があらかじめ対応付けられており、ペアリング処理手段は、識別情報を用いてペアリング設定を行うことが望ましい。また、ペアリング設定の対象として想定されている電子デバイスは、ヘッドセットであることが望ましい。さらに、上述した無線通信装置は二輪車に搭載されるとともに、ペアリング設定時に設定内容を確認するための表示部を有しない場合に特に有効である。無線通信装置と電子デバイスの双方に表示部がない場合であっても、特定の電子デバイス（ヘッドセット）との間のペアリング設定を確実に成功させることができる。
【図面の簡単な説明】
【００１８】
【図１】一実施形態の二輪車用オーディオ装置の構成を示す図である。
【図２】ペアリング設定を行う機能ブロック図である。
【図３】携帯端末装置においてペアリングモード時に周辺の電子デバイスを検索してそのリストを表示する動作手順を示す図である。
【図４】二輪用オーディオ装置におけるペアリングモードの動作手順を示す図である。
【図５】二輪車用オーディオ装置で作成されるデバイスリストの一例を示す図である。
【図６】携帯端末装置におけるデバイスリストの表示例を示す図である。
【図７】携帯端末装置においてペアリング指示を行う変形例の動作手順を示す図である。
【発明を実施するための形態】
【００１９】
以下、本発明を適用した一実施形態の二輪車用オーディオ装置について、図面を参照しながら説明する。図１は、一実施形態の二輪車用オーディオ装置の構成を示す図である。図１に示すように、本実施形態の二輪車用オーディオ装置１００は、チューナ部１０、キー入力インタフェース部（キー入力Ｉ／Ｆ）２０、ＢＴ（ブルートゥース）ユニット３０、ＵＳＢ（Universal Serial Bus）ユニット４０、制御部５０を備えている。
【００２０】
チューナ部１０は、ラジオ放送の信号を受信し、放送番組の音声を再生する処理を行う。キー入力インタフェース部２０は、ハンドルリモコン２２に備わった各種キーの操作状態に応じた信号が入力される。このハンドルリモコン２２は、二輪車のハンドルに取り付けられており、「Ｕｐ／Ｄｏｗｎ」キー、「ＳＥＬＥＣＴ」キー、「再生」キー、「停止」キーなどが含まれている。
【００２１】
ＢＴユニット３０は、ブルートゥースによって二輪車用オーディオ装置１００と各種の電子デバイスとの間で各種データの送受信を行う通信装置（ブルートゥース機器）である。このＢＴユニット３０には、無線通信に必要なハードウェアと、このハードウェアを制御してペアリング設定や無線接続を行うために必要な各種の処理部が含まれる。本実施形態では、接続対象として想定している電子デバイスには、ヘッドセット２００やスマートフォンと称される携帯端末装置２１０などが含まれる。この携帯端末装置２１０が表示部を有する特定電子デバイスに対応する。また、電子デバイスの検出やペアリング設定などのブルートゥースを用いた無線接続に必要な各種の処理はこのＢＴユニット３０によって行われる。
【００２２】
ＵＳＢユニット４０は、各種のＵＳＢデバイスとの間で信号の入出力を行うためのものであり、ＵＳＢポートやＵＳＢホストコントローラが含まれる。本実施形態では、音楽データが記録されている外部の記憶媒体としてのＵＳＢメモリ２２０が接続されることを想定している。
【００２３】
制御部５０は、二輪車用オーディオ装置１００の全体を制御するためのものであり、ＲＯＭやＲＡＭなどに格納された所定のプログラムをＣＰＵで実行することにより実現される。この制御部５０は、操作内容判定部５１、チューナ処理部５２、オーディオ処理部５３、ＢＴ（ブルートゥース）処理部５４を有する。
【００２４】
操作内容判定部５１は、キー入力インタフェース部２０を介して接続されたハンドルリモコン２２を用いた利用者の操作内容を判定する。チューナ処理部５２は、チューナ部１０に対する動作指示を行う。例えば、受信周波数の設定および変更や音量設定などがチューナ処理部５２によって行われる。オーディオ処理部５３は、ＵＳＢメモリ２２０に記録された音楽データを読み出して再生する一連の処理を行う。例えば、音楽データのフォルダ構成、ファイル構成およびファイル属性を含むコンテンツリストを作成するとともに、このコンテンツリストを用いた選曲などが行われ、１つの楽曲が選択されたときにその再生が行われる。
【００２５】
なお、楽曲の再生については、ＵＳＢメモリ２２０に記録された音楽データを読み出して行う場合の他に、ブルートゥースによって接続された携帯端末装置２１０と連携して行うようにしてもよい。例えば、ＵＳＢメモリ２２０から音楽データを読み出す場合と同様に、携帯端末装置２１０内の記憶装置（半導体メモリやハードディスク装置など）に記録されている音楽データを読み出して楽曲の再生を行う場合が考えられる。あるいは、携帯端末装置２１０の楽曲再生機能を利用し、オーディオ処理部５３によって選曲指示を行うとともに、選択された楽曲の再生データを取得する場合が考えられる。
【００２６】
ＢＴ処理部５４は、ヘッドセット２００や携帯端末装置２１０との間でペアリング設定を行う際に必要な処理を行う。例えば、ヘッドセット２００との間でペアリング設定を行う際に、ヘッドセット２００に割り当てられた固有の識別情報としてのパスコード“００００”を指定する処理などがＢＴ処理部５４によって行われる。
【００２７】
本実施形態の二輪車用オーディオ装置１００はこのような構成を有しており、次に、ヘッドセット２００との間でペアリング設定を行う動作について説明する。
【００２８】
図２は、ペアリング設定を行う機能ブロック図である。図２に示すように、本実施形態の二輪車用オーディオ装置１００は、ヘッドセット２００に対してペアリング設定を行うために、デバイス検出部４１、自装置情報送信部４２、ペアリング処理部４３、無線接続部４４、パスコード指定部４５、ペアリング指示部４６を有する。これらの中で、パスコード指定部４５、ペアリング指示部４６は制御部５０内のＢＴ処理部５４によって実現され、それ以外の機能ブロックはＢＴユニット３０によって実現される。但し、ＢＴユニット３０と制御部５０のいずれによって各機能ブロックを実現するかは、適宜変更することができる。
【００２９】
デバイス検出部４１は、ＳＤＰ（Service Discovery Profile）を用いて、ブルートゥースを用いて通信可能な所定範囲（例えば、半径１０ｍ以内）に存在する電子デバイスを検索する。自装置情報送信部４２は、自装置の名称をデバイス検出部４１によって検出された電子デバイスの名称に置き換えて、検出された複数の電子デバイスのそれぞれに向けて、自装置の名称を含む情報を送信する。ペアリング処理部４３は、自装置情報送信部４２によって自装置の名称が他の電子デバイスの名称に置き換えられたときにこの電子デバイスに対してペアリング設定を行う。ペアリング設定の対象となる電子デバイスの選択方法については後述する。無線接続部４４は、ペアリング処理部４３によってペアリング設定が成功した電子デバイスとの間で無線接続を行う。パスコード指定部４５は、ヘッドセット２００に割り当てられた固有の識別情報としてのパスコード“００００”を指定する。ペアリング指示部４６は、所定のタイミングでハンドルリモコン２２の「ＳＥＬＥＣＴ」キーが押下されたときに、ペアリング処理部４３に対してペアリング設定を指示する。
【００３０】
上述したデバイス検出部４１がデバイス検出手段に、自装置情報送信部４２が自装置情報送信部４２が自装置情報送信手段に、ペアリング処理部４３がペアリング処理手段に、無線接続部４４が無線接続手段にそれぞれ対応する。
【００３１】
次に、ヘッドセット２００に対してペアリング設定を行う動作について説明する。本実施形態では、表示部を有しない二輪車用オーディオ装置１００とパスコード“００００”のヘッドセット２００との間でペアリング設定を行うことを想定している。また、本実施形態では、特定電子デバイスとしての携帯端末装置２１０の表示部に電子デバイスのリストを表示させるものとする。
【００３２】
図３は、携帯端末装置２１０においてペアリングモード時に周辺の電子デバイスを検索してそのリストを表示する動作手順を示す図である。ペアリングモードの動作が開始されると、携帯端末装置２１０は、周辺検索を行って（ステップ１００）、通信可能範囲に存在する電子デバイスを検出する（ステップ１０２）。次に、携帯端末装置２１０は、検出した電子デバイスのリストを作成して（ステップ１０４）、表示部に表示する（ステップ１０６）。表示の具体例については後述する。なお、図３に示した動作手順は、本発明特有のものではなく、ブルートゥース機器としての携帯端末装置２１０においてペアリング設定を行う際に従来から行われている一連の動作である。
【００３３】
図４は、二輪用オーディオ装置１００におけるペアリングモードの動作手順を示す図である。二輪車用オーディオ装置１００のハンドルリモコン２２が操作されてペアリングモードの動作の開始が指示されると、まず、デバイス検出部４１は、周辺検索を行って（ステップ２００）、通信可能範囲に存在する電子デバイスを検出する（ステップ２０２）。例えば、利用者が所持するヘッドセット２００や携帯端末装置２１０やその他の電子デバイスが検出される。
【００３４】
次に、デバイス検出部４１は、検出した電子デバイスのリスト（デバイスリスト）を作成する（ステップ２０４）。図５は、デバイスリストの一例を示す図である。このデバイスリストには、検出された３つの電子デバイスのそれぞれの名称が含まれている。「Ｄｅｖｉｃｅ−Ｅ」、「ＨｅａｄＳｅｔ」、「Ｄｅｖｉｃｅ−Ａ」、「Ｄｅｖｉｃｅ−Ｂ」は、電子デバイスの名称である。この中で、「ＨｅａｄＳｅｔ」はヘッドセット２００の名称を示しており、「Ｄｅｖｉｃｅ−Ｂ」は携帯端末装置２１０の名称を示しているものとする。なお、二輪車用オーディオ装置１００には表示部が備わっていないため、図５に示したデバイスリストの表示は行われない。
【００３５】
次に、自装置情報送信部４２は、自装置（二輪車用オーディオ装置１００）の名称を含む情報を携帯端末装置２１０に向けて送信する（ステップ２０６）。なお、この情報送信は、携帯端末装置２１０によるデバイス検索時に二輪車用オーディオ装置１００から携帯端末装置２１０に「応答」を返す動作として行われる。また、この情報送信は、他の電子デバイスによるデバイス検索時にも同様に行われる。
【００３６】
次に、自装置情報送信部４２は、ハンドルリモコン２２を用いた所定の切替指示がありか否かを判定する（ステップ２０８）。切替指示は、例えば、ハンドルリモコン２２の「Ｕｐ／Ｄｏｗｎ」キーを押下することにより行われる。切替指示がなされない場合には否定判断が行われ、自装置情報送信部４２は、所定時間が経過したか否かを判定する（ステップ２１０）。所定時間が経過していない場合には否定判断が行われ、ペアリング指示部４６は、ペアリング設定指示がありか否かを判定する（ステップ２１２）。この指示はハンドルリモコン２２の「ＳＥＬＥＣＴ」キーを押下することにより行われる。ペアリング設定指示が行われない場合には否定判断が行われ、ステップ２０６に戻って情報送信が繰り返される。
【００３７】
また、切替指示がなされてステップ２０８の判定において肯定判断が行われると、あるいは、所定時間が経過してステップ２１０の判定において肯定判断が行われると、次に、自装置情報送信部４２は、自装置の名称「ＭｏｔｏｒｃｙｃｌｅＡｕｄｉｏ」を最初に検出された電子デバイスの名称「Ｄｅｖｉｃｅ−Ｅ」に置き換えて（ステップ２１４）、この置き換えられた後の自装置の名称「Ｄｅｖｉｃｅ−Ｅ」を含む情報を携帯端末装置２１０に向けて送信する（ステップ２０６）。この名称の置き換えは、切替指示がなされる毎、あるいは、所定時間が経過する毎に行われ、検出された順番で各電子デバイスの名称で自装置の名称が置き換えられる。名称の置き換えが一巡すると、再び自装置の名称に切り替えられる。
【００３８】
また、ペアリング設定指示が行われるとステップ２１２の判定において肯定判断が行われる。次に、ペアリング処理部４３は、ペアリング設定の対象となる電子デバイスを決定する（ステップ２１６）。具体的には、ペアリング設定指示が行われた時点で自装置情報送信部４２によって送信された情報に含まれる名称に対応する電子デバイスがペアリング設定の対象として決定される。
【００３９】
次に、ペアリング処理部４３は、ペアリング設定の対象に決定した電子デバイス（本実施形態では、ヘッドセット２００を想定している）に対してペアリング設定を行い（ステップ２１８）、その後、無線接続部４４はヘッドセット２００との間で無線接続を行う（ステップ２２０）。このようにして、利用者は、接続を希望するヘッドセット２００を選択してペアリング設定および無線接続を行うことが可能となる。
【００４０】
図６は、携帯端末装置２１０におけるデバイスリストの表示例を示す図である。図６に示す例では、２番目に検出された電子デバイスが二輪車用オーディオ装置１００であって、その名称「ＭｏｔｏｒｃｙｃｌｅＡｕｄｉｏ」が含まれる。この名称「ＭｏｔｏｒｃｙｃｌｅＡｕｄｉｏ」は、二輪車用オーディオ装置１００で検出した各電子デバイスの名称「Ｄｅｖｉｃｅ−Ｅ」、「ＨｅａｄＳｅｔ」、「Ｄｅｖｉｃｅ−Ａ」、「Ｄｅｖｉｃｅ−Ｂ」に順番に置き換えられる。なお、これらの名称の先頭に「Ｈ：」を付加することにより、名称が置き換えられたことがわかる表示態様となっている。利用者は、デバイスリストの２番目の表示が「２：Ｈ：ＨｅａｄＳｅｔ」となっているときにハンドルリモコン２２の「ＳＥＬＥＣＴ」キーを押下することにより、ヘッドセット２００をペアリング設定の対象として選択することができる。
【００４１】
このように、本実施形態の二輪車用オーディオ装置１００では、検出した電子デバイスの名称を携帯端末装置２１０に送ってその表示部に表示させることができるため、二輪車用オーディオ装置１００に表示部がない場合であっても、利用者本人が接続を希望する電子デバイスを確実に検出することができる。
【００４２】
また、二輪車用オーディオ装置１００側において、自装置の名称と、自装置の名称が置き換えられる電子デバイスの名称とを順番に、かつ、自装置の名称が電子デバイスの名称に置き換えられたことがわかる表示態様で情報を送信し、携帯端末装置２１０側において同様の内容で表示を行っている。これにより、情報の送信元となる二輪車用オーディオ装置１００の名称とともに、接続可能な電子デバイスの名称を順番に表示させて確認することが可能となる。
【００４３】
また、デバイス検出部４１によって検出された複数の電子デバイスの名称を自装置の名称に順番に置き換えており、これにより、接続可能な電子デバイスが複数検出された場合であっても、これら複数の電子デバイスの名称を順番に表示させて確認することが可能となる。
【００４４】
また、自装置の名称に置き換える電子デバイスの名称を、ハンドルリモコン２２を用いた切替指示に応じて順番に切り替えて送信している。携帯端末装置２１０の表示部に表示させる内容を利用者自身が切り替えることができるため、二輪車用オーディオ装置１００や各電子デバイスの名称を十分に確認することができる。また、自装置の名称に置き換える電子デバイスの名称を、所定の時間間隔で順番に切り替えて送信している。これにより、表示内容切替の手間を省くことができる。
【００４５】
また、携帯端末装置２１０の表示部に表示させた名称で特定される電子デバイスと二輪車用オーディオ装置１００との間でペアリング設定を行うことができ、利用者本人が接続を希望する電子デバイス（ヘッドセット２００）を確実に検出した上でペアリング設定を行うことが可能となる。
【００４６】
なお、本発明は上記実施形態に限定されるものではなく、本発明の要旨の範囲内において種々の変形実施が可能である。例えば、上述した実施形態では、携帯端末装置２１０の表示部にペアリング設定の対象となる電子デバイスの名称を表示したが、表示部を有するものであれば携帯端末装置２１０以外の電子デバイスであってもよい。
【００４７】
また、上述した実施形態では、ハンドルリモコン２２の「ＳＥＬＥＣＴ」キーを用いてペアリング設定指示を行ったが、携帯端末装置２１０において同様の指示を行うようにしてもよい。図７は、携帯端末装置２１０においてペアリング設定指示を行う変形例の動作手順を示す図である。図７に示した流れ図は、図３に示した流れ図に対して、ステップ１０８、１１０が追加されている。ステップ１０８では、図６に示したデバイスリストの表示中にペアリング設定指示がなされたか否かを判定する。ペアリング設定指示がなされていない場合には否定判断が行われ、ステップ１０６に戻ってデバイスリストの表示が継続される。また、ペアリング設定指示がなされるとステップ１０８の判定において肯定判断が行われる。次に、携帯端末装置２１０から二輪車用オーディオ装置１００に向けてペアリング設定指示を送信する（ステップ１１０）。二輪車用オーディオ装置１００では、このペアリング設定指示を受け取ると、ステップ２１２（図４）の判定において肯定判断が行われる。なお、携帯端末装置２１０においてペアリング設定指示の有無を判定したり送信したりするためには、これらの処理を行うための専用のアプリケーションソフトウエアを実行する必要がある。また、ステップ１０８、１１０の動作を行うためには、その時点よりも前に携帯端末装置２１０と二輪車用オーディオ装置１００との間でペアリング設定を終わらせておく必要がある。
【００４８】
携帯端末装置２１０を操作することにより、携帯端末装置２１０の表示部に表示させた名称で特定される電子デバイスと二輪車用オーディオ装置１００との間でペアリング設定を行うことができ、利用者本人が接続を希望する電子デバイス（ヘッドセット２００）を確実に検出した上でペアリング設定を行うことが可能となる。
【産業上の利用可能性】
【００４９】
上述したように、本発明によれば、無線通信装置において検出された電子デバイスの名称を特定電子デバイスに送ってその表示部に表示させることができるため、無線通信装置に表示部がない場合であっても、利用者本人が接続を希望する電子デバイスを確実に検出することができる。
【符号の説明】
【００５０】
１００  二輪車用オーディオ装置
１０  チューナ部
２０  キー入力インタフェース部（キー入力Ｉ／Ｆ）
３０  ＢＴ（ブルートゥース）ユニット
４０  ＵＳＢユニット
４１  デバイス検出部
４２  自装置情報送信部
４３  ペアリング処理部
４４  無線接続部
４５  パスコード指定部
４６  ペアリング指示部
５０  制御部
５１  操作内容判定部
５２  チューナ処理部
５３  オーディオ処理部
５４  ＢＴ（ブルートゥース）処理部
２００  ヘッドセット
２１０  携帯端末装置
２２０  ＵＳＢメモリ
【図１】
2014192774.tif 000003
【図２】
2014192774.tif 000004
【図３】
2014192774.tif 000005
【図４】
2014192774.tif 000006
【図５】
2014192774.tif 000007
【図６】
2014192774.tif 000008
【図７】
2014192774.tif 000009